(57)【要約】      （修正有）【課題】丸玉錘の溝を閉じるのに大きな力を必要とせず、釣り糸を丸玉錘の中心に通して係止することができ、また略Ｖ字の溝を閉じた後、略Ｖ字の溝を再び開くのが容易に行なえ、繰り返し使える丸玉錘を提供する。【解決手段】丸玉錘１は、丸玉錘１の片側には断面が略Ｖ字の溝２が形成されており、その背面には同一の円周方向に沿ってスリット３が形成されている。略Ｖ字の溝２は、略Ｖ字の溝２に釣り糸４を挿入したときに、釣り糸４が丸玉錘１の中心を通って、真っ直ぐに略Ｖ字の溝２に収まるように、略Ｖ字の溝２の底が丸玉錘１の中心を真っ直ぐ通るように形成されている。略Ｖ字の溝２の開口縁部２ａ、２ｂは、それぞれ略Ｖ字の溝２の外側に向けて傾斜している。この丸玉錘１は、スリット３により、丸玉錘１の溝２を閉じるのに大きな力を必要とせず、また略Ｖ字の溝２を再び開くのが容易に行なえ繰り返し使える。【選択図】図１
2005229940.tif 000002
【特許請求の範囲】
【請求項１】
釣り糸が挿入される断面が略Ｖ字の溝を有し、前記略Ｖ字の溝に釣り糸を挿入して溝を閉じて釣り糸に係止する丸玉錘において、
前記丸玉錘の略Ｖ字の溝の背面にスリットを形成したことを特徴とする丸玉錘。
【請求項２】
前記丸玉錘の中心を通るように釣り糸が係止されるように、丸玉錘の中心を通るように略Ｖ字の溝の底を設定したことを特徴とする請求項１に記載の丸玉錘。
【請求項３】
前記略Ｖ字の溝の開口縁部が、溝の外側に傾斜していることを特徴とする請求項１又は２に記載の丸玉錘。
【請求項４】
前記丸玉錘が電解鉛で成形されていることを特徴とする請求項１から３の何れかに記載の丸玉錘。
【発明の詳細な説明】
【技術分野】
【０００１】
本発明は釣り糸の途中に係止する丸玉錘に関するものである。
【背景技術】
【０００２】
丸玉錘５１は、図３（ａ）に示すように、（球形状及び楕円球形状を含む）球状の鉛玉に断面が略Ｖ字の溝５２を有し、この略Ｖ字の溝５２に釣り糸５３を挿入し、図３（ｂ）に示すように、ペンチなどで丸玉錘５１を挟んで略Ｖ字の溝５２を閉じて、釣り糸５３の途中に係止されるものであり、魚釣り用の仕掛けの錘の調整に用いられている。
【０００３】
一般的に、丸玉錘５１は、図３（ｃ）に示すように、ペンチなどで挟んだときに変形し易いように、略Ｖ字の溝５２が丸玉錘５１の中心を越える深さまで至っている。このため、丸玉錘５１を釣り糸５３に係止する際に釣り糸５３が丸玉錘５１の中心を通っていないので、図３（ｂ）に示すように、釣り糸５３に係止したときに、丸玉錘５１の上下で仕掛けのバランスを崩すことになる。また、略Ｖ字の溝５２の底が丸玉錘５１の中心を通るように設定するとよいが、この場合、丸玉錘５１の略Ｖ字の溝５２を閉じるのに相当の力が必要になる。斯かる丸玉錘５１に関しては、下記の特許文献１、２に記載されたものが知られている（なお、これらの文献に記載された丸玉錘に関する発明は、本発明に係る発明とは直接関係するものではない）。
【特許文献１】特開２００２−１９１３８９
【特許文献２】特開２００１−２７５５３７
【発明の開示】
【発明が解決しようとする課題】
【０００４】
本発明は、丸玉錘の溝を閉じるのに大きな力を必要とせず、釣り糸を丸玉錘の中心に通して係止することができ、また略Ｖ字の溝を閉じた後、略Ｖ字の溝を再び開くのが容易に行なえ、繰り返し使える丸玉錘を提供することを目的とする。
【課題を解決するための手段】
【０００５】
本発明に係る丸玉錘は、釣り糸が挿入される断面が略Ｖ字の溝を有し、略Ｖ字の溝に釣り糸を挿入して溝を閉じて釣り糸に係止する丸玉錘において、丸玉錘の略Ｖ字の溝の背面にスリットを形成したことを特徴とする。これにより、丸玉錘の溝を閉じるのに必要な力を小さくすることができる。また、この場合、丸玉錘を略Ｖ字の溝を閉じて釣り糸に係止したときに、スリットが開くので、このスリットを閉じることにより、丸玉錘の略Ｖ字の溝を開けて釣り糸から取り外すことができる。また、丸玉錘の略Ｖ字の溝を開けると、スリットの両側が当たるので、丸玉錘の略Ｖ字の溝を開け過ぎて、丸玉錘が破損することを防止できる。
【０００６】
また、この丸玉錘の中心を通るように釣り糸が係止されるように、丸玉錘の中心を通るように略Ｖ字の溝の底を設定するとよい。これにより、丸玉錘の略Ｖ字の溝に釣り糸をしたときに、釣り糸が丸玉錘の中心を通るように、丸玉錘を釣り糸に係止することができる。
【０００７】
また、略Ｖ字の溝の開口縁部が、溝の外側に傾斜しているとよい。これにより、略Ｖ字の溝を閉じたときに、略Ｖ字の溝の縁部が開いており、ここから略Ｖ字溝を開くことができるので、一度釣り糸に係止した丸玉錘を容易に釣り糸から取り外すことができる。
【０００８】
なお、丸玉錘の材料には、通常は鉛が用いられるが、好ましくは環境に優しい電解鉛を用いるとよい。
【発明の効果】
【０００９】
本発明の丸玉錘によれば、丸玉錘の溝を閉じるのに大きな力を必要としない。また、釣り糸を丸玉錘の中心に通して係止することができるので、仕掛けのバランスを崩さない。また略Ｖ字の溝を閉じた後、再び略Ｖ字の溝を開くのが容易で、釣り糸から取り外しで繰り返し使うことができる。
【発明を実施するための最良の形態】
【００１０】
以下に、本発明の一実施形態に係る丸玉錘を図面に基づいて説明する。
【００１１】
本発明の一実施形態に係る丸玉錘１は、図１（ａ）（ｂ）に示すように、略球形の鉛玉からなる。丸玉錘１の片側には断面が略Ｖ字の溝２が、中心を通る一つの円周方向に沿って形成されており、その背面には同一の円周方向に沿ってスリット３が形成されている。
【００１２】
略Ｖ字の溝２は、図２（ａ）（ｂ）に示すように、略Ｖ字の溝２に釣り糸４を挿入したときに、釣り糸４が丸玉錘１の中心を通って、真っ直ぐに略Ｖ字の溝２に収まるように、略Ｖ字の溝２の底が丸玉錘１の中心を真っ直ぐ通るように形成されている。略Ｖ字の溝２の開口縁部２ａ、２ｂは、それぞれ略Ｖ字の溝２の外側に向けて傾斜している。スリット３は、図１（ａ）に示すように、丸玉錘１の略Ｖ字の溝２の背面において、所定の深さで形成されている。
【００１３】
この丸玉錘１は、略Ｖ字の溝２の底が丸玉錘１の中心を通るように形成されているので、略Ｖ字の溝２に釣り糸４を挿入すると、釣り糸４が丸玉錘１の中心を通って収まる。従って、この状態で、丸玉錘１の略Ｖ字の溝２を閉じると、釣り糸４を丸玉錘１の中心を通るように収めた状態で、丸玉錘１を釣り糸４に係止することができる。従って、仕掛けのバランスを崩さない。
【００１４】
また、略Ｖ字の溝２の背面にスリット３を形成しているので、丸玉錘１が屈曲する部分５の断面積が小さく、丸玉錘１の略Ｖ字の溝２を閉じる際に大きな力が必要にならない。
【００１５】
また、略Ｖ字の溝２を閉じて釣り糸４に丸玉錘１を係止した状態では、図２（ａ）（ｂ）に示すように、略Ｖ字の溝２の背面にあるスリット３は開いた状態になる。また略Ｖ字の溝２の開口縁部の傾斜している部分２ａ、２ｂは、略Ｖ字の溝２の閉じた部分から開いた状態になる。
【００１６】
この丸玉錘１は開いたスリット３の両側に力を作用させて、スリット３を閉じることにより、略Ｖ字の溝２を再び開けて、釣り糸４から丸玉錘１を取り外すことができる。また、略Ｖ字の溝２の開口縁部の傾斜している部分２ａ、２ｂを押し開いて、略Ｖ字の溝２を再び開けて、釣り糸４から丸玉錘１を取り外してもよい。
【００１７】
釣り糸４から丸玉錘１を取り外すときも、略Ｖ字の溝２の背面にスリット３を形成しているので、従来のものに比べて丸玉錘１の屈曲する部分５の断面積が小さく、丸玉錘１の略Ｖ字の溝２を開く際にも大きな力が必要にならない。丸玉錘１の略Ｖ字の溝２を開くと、スリット３の両側が当たるので、丸玉錘１の略Ｖ字の溝２を開き過ぎて、丸玉錘１が破損するのを防止することができる。
【００１８】
このように、この丸玉錘１によれば、丸玉錘１の略Ｖ字の溝２を閉じるのに大きな力を必要とせず、また釣り糸４を丸玉錘１の中心に通して係止することができるので、仕掛けのバランスを崩さない。また略Ｖ字の溝２を閉じた後、再び略Ｖ字の溝２を開くのが容易なので、丸玉錘１は釣り糸４から取り外しで繰り返し使うことができる。
【００１９】
以上、本発明の一実施形態に係る丸玉錘を説明したが、本発明に係る丸玉錘は上記の実施の形態に限定されない。
【００２０】
例えば、上記実施形態では、丸玉錘は球形状のものを例示したが、本発明に係る丸玉錘はこの形状には限定されず、例えば、楕円球形状にしてもよい。また、釣り糸を挟む丸玉錘の略Ｖ字の溝には、ゴムをコーティングして、釣り糸を傷つけないようにしてもよい。
【図面の簡単な説明】
【００２１】
【図１】（ａ）は本発明の一実施形態に係る丸玉錘の横断断面図であり、（ｂ）は本発明の一実施形態に係る丸玉錘の斜視図である。
【図２】（ａ）は本発明の一実施形態に係る丸玉錘の使用状態を示す横断断面図であり、（ｂ）は本発明の一実施形態に係る丸玉錘の使用状態を示す斜視図である。
【図３】（ａ）は丸玉錘の斜視図であり、（ｂ）は丸玉錘の使用状態を示す斜視図である。
【符号の説明】
【００２２】
１  丸玉錘
２  溝
３  スリット
４  釣り糸
【図１】
2005229940.tif 000003
【図２】
2005229940.tif 000004
【図３】
2005229940.tif 000005